(57)【特許請求の範囲】
【請求項１】
直線カット性のプラスチックフィルムからなる層を含み、且つ、内層が易開封性プラスチックフィルムからなる積層プラスチックフィルムから形成され、少なくとも上部近傍及び底部近傍にヒートシール部を備えた袋状包装体であって、該ヒートシール部のいずれか一方の少なくとも一部に、彎曲状ヒートシール部が形成され、該彎曲状ヒートシール部は、該彎曲状ヒートシール部に近い側の端面側に凸状を有しており、該彎曲状ヒートシール部は積層プラスチックフィルム間の融着部が剥離可能な接着強度を有し、且つ、少なくとも該彎曲状ヒートシール部の凸状輪郭と該凸状輪郭の開始点と停止点を結ぶ直線に囲まれた領域の積層プラスチックフィルム間が融着されており、該彎曲状ヒートシール部と該彎曲状ヒートシール部が形成されたシール部の端縁との間には貼り合わされた前記積層プラスチックフィルムの一方のみにノッチが形成されており、該ノッチは前記プラスチックフィルムの直線カット性の方向と合致する方向を有し、且つ、該ノッチの終端が前記彎曲状ヒートシール部の凸状輪郭の開始点または停止点と合致していることを特徴とする易開封性を有する袋状包装体。
【請求項２】
前記積層プラスチックフィルムは、外層には延伸プラスチックフィルム、中間層には前記直線カット性のプラスチックフィルム、内層には易開封性のプラスチックフィルムを有することを特徴とする請求項１に記載の易開封性を有する袋状包装体。
【請求項３】
前記外層フィルムはポリプロピレン、ポリエステル、ポリアミド、ポリビニルアルコール、ポリスチレン、ポリ乳酸で形成されていることを特徴とする請求項２記載の易開封性を有する袋状包装体。
【請求項４】
前記中間層はガスバリア性のプラスチックフィルムで形成されていることを特徴とする請求項２又は３に記載の易開封性を有する袋状包装体。
【請求項５】
前記中間層はポリアミドフィルム又はポリエステルフィルムで形成されていることを特徴とする請求項２乃至４のいずれかに記載の易開封性を有する袋状包装体。
【請求項６】
前記内層はポリエチレン系多層フィルム又はポリプロピレン系多層フィルム又はポリエチレン共重合体フィルム、ポリプロピレン共重合体フィルムで形成されていることを特徴とする請求項２乃至５のいずれかに記載の易開封性を有する袋状包装体。
【請求項７】
前記ノッチは、前記ヒートシール部の２カ所に形成され、該ヒートシール部において略コ字状となるように連結されて、前記積層プラスチックフィルムの一部にベロ状部を形成しており、該ベロ状部が該ノッチに沿って該積層プラスチックフィルムをテープ状にカットし得ることを特徴とする請求項１乃至６のいずれかに記載の易開封性を有する袋状包装体。
【発明の詳細な説明】
【技術分野】
【０００１】
本発明は、被包装物を簡易に開封することが可能な易開封性袋状包装体に関するものである。
【背景技術】
【０００２】
被包装物を簡易に開封することが可能な易開封性袋状包装体としては、包装体の側縁部に沿って袋状包装体を開封することができるものが多いが、被包装物がトレイ入りの場合などには、包装体の側縁部に沿って袋状包装体を開封しても、トレイの側縁部に阻まれてトレイ内の被包装物が簡単に取り出しにくい場合が少なくない。そこで、トレイが装填されている場合などには、上面側にある包装フィルムの中央部付近が開封されるように切断して開封する手段が提案されている。
【０００３】
例えば、特許文献１には、包装体の片面の端面に非ヒートシール部を形成するとともに、その内側に直線状のヒートシール部を形成し、非ヒートシール部の端面からヒートシール部の一部に達するようにノッチを形成しておき、開封時に、このノッチに沿って長い切れ目を形成して開封することのできる手段が開示されている。
【０００４】
【特許文献１】特開平１０−２３０９７１号公報
【０００５】
しかしながら、この場合には、包装体の片面の端面に形成した非ヒートシール部にノッチを形成しているので、輸送時あるいは顧客の選択時に不測あるいはいたずらの引き裂き力が作用して包装フィルムのヒートシール部がカットされて被包装物が露出するおそれがあった。この場合には、ヒートシール部が直線状に形成されており、前記引き裂き力は、通常、この直線状ヒートシール部の方向と直角方向ではなく、傾斜方向に作用する場合が多いため、ヒートシール部の一部が傾斜状にカットされて停止し、ヒートシール部内方の一点が気付かない程度に包装体の外部と連通状態となり、外部の酸素ガス及び水分が内部に浸入し、非包装物の変色、腐敗などが進行するおそれがあった。
【発明の開示】
【発明が解決しようとする課題】
【０００６】
本発明は、輸送時あるいは顧客の選択時に不測あるいはいたずらの引き裂き力が作用しても、包装フィルムのヒートシール部が容易にはカットされず、被包装物が露出して外部の酸素、水分などが内部に浸入し、被包装物の変色や腐敗などが進行するおそれがなく、しかも開封時にはヒートシール部に形成されたノッチに沿って力を加えることによって、非包装物の上面側の表面フィルムをテープ状にカットして被包装物を容易に取り出しやすい状態に開封することが可能な易開封性を有する袋状包装体の提供を目的とするものである。
【課題を解決するための手段】
【０００７】
本発明は、上記目的を達成するものであって、直線カット性のプラスチックフィルムからなる層を含み、且つ、内層が易開封性プラスチックフィルムからなる積層プラスチックフィルムから形成され、少なくとも上部近傍及び底部近傍にヒートシール部を備えた袋状包装体であって、該ヒートシール部のいずれか一方の少なくとも一部に、彎曲状ヒートシール部が形成され、該彎曲状ヒートシール部は、該彎曲状ヒートシール部に近い側の端面側に凸状を有しており、該彎曲状ヒートシール部は積層プラスチックフィルム間の融着部が剥離可能な接着強度を有し、且つ、少なくとも該彎曲状ヒートシール部の凸状輪郭と該凸状輪郭の開始点と停止点を結ぶ直線に囲まれた領域の積層プラスチックフィルム間が融着されており、該彎曲状ヒートシール部と該彎曲状ヒートシール部が形成されたシール部の端縁との間には貼り合わされた前記積層プラスチックフィルムの一方のみにノッチが形成されており、該ノッチは前記プラスチックフィルムの直線カット性の方向と合致する方向を有し、且つ、該ノッチの終端が前記彎曲状ヒートシール部の凸状輪郭の開始点または停止点と合致していることを特徴とする易開封性を有する袋状包装体である。
【０００８】
前記積層プラスチックフィルムは、外層には延伸プラスチックフィルム、中間層には前記直線カット性のプラスチックフィルム、内層には易開封性のプラスチックフィルムを有することが望ましい。
【０００９】
前記外層はポリプロピレン、ポリエステル、ポリアミド、ポリビニルアルコール、ポリスチレン、ポリ乳酸で形成されていることが望ましく、前記中間層はガスバリア性のプラスチックフィルムで形成されていることが望ましく、さらにポリアミドフィルム又はポリエステルフィルムで形成されていることが望ましく、また前記内層はポリエチレン系多層フィルム又はポリプロピレン系多層フィルム又はポリエチレン共重合体フィルム、ポリプロピレン共重合体フィルムで形成されていることが望ましく、さらに、前記ノッチは、前記ヒートシール部の２カ所に形成され、該ヒートシール部において略コ字状となるように連結されて、ベロ状をなしており、テープ状にカットし得るようになされていることが望ましい。
【発明の効果】
【００１０】
本発明の易開封性を有する袋状包装体によれば、輸送時あるいは顧客の選択時に不測あるいはいたずらの引き裂き力が作用しても、包装フィルムのヒートシール部が容易にはカットされず、被包装物が露出して外部の酸素や水分が内部に浸入し、腐敗が進行するおそれがなく、しかも開封時にはヒートシール部に形成されたノッチに沿って力を加えることによって、非包装物の上面側の表面フィルムをテープ状にカットして被包装物を容易に取り出しやすい状態に開封することが可能な易開封性を有する袋状包装体を提供することができる。
【発明を実施するための最良の形態】
【００１１】
以下、図面に基づいて本発明の実施態様を詳細に説明する。
図１〜３において、１は本発明の易開封性を有する袋状包装体であって、該袋状包装体１は主として前面部２と背面部３と上部ヒートシール部４と両側縁ヒートシール部５，５と底部ヒートシール部６とノッチ７とより形成されている。ここでは、包装フィルムを四方シールによって袋状物を形成した包装形態を例示しているが、包装フィルムを三方シールや図９に示した合掌シールと上部と底部をエンドシールしたピロー包装形態のほか、各種の公知の包装形態にも適用可能である。
【００１２】
前記前面部２と背面部３に使用する包装フィルムとしては、積層プラスチックフィルムを使用する。積層フィルムの外層には延伸ポリプロピレン、ポリエステル、ポリアミド、ポリビニルアルコール、ポリスチレン、ポリ乳酸フィルムを使用し、中間層には直線カット性のプラスチックフィルムを使用し、内層には易開封性のプラスチックフィルムを有する。中間層の直線カット性のプラスチックフィルムは、直線カット性であれば良く、特に延伸ポリアミドフィルム又は延伸ポリエステルフィルムで形成されていることが望ましい。この中間層のフィルムは、不透明なアルミ蒸着、透明なアルミナ蒸着、シリカ蒸着などが施されたフィルムなどの酸素ガスバリヤー性フィルムであることが望ましく、この場合には包装袋内に外部の酸素の侵入を防止することができるので、被包装物の酸化を防止することができ、長期間にわたる保存が可能である。内層の易開封性のプラスチックフィルムは、ポリエチレン系多層フィルム又はポリプロピレン系多層フィルム又はポリエチレン共重合体フィルム、ポリプロピレン共重合体フィルムで形成されていることが望ましい。
【００１３】
本発明の袋状包装体１の表面部２の上部近傍又は底部近傍には、巾広のヒートシール部６が形成されており、図１〜３においては、底部近傍に巾広のヒートシール部６が形成されている。このヒートシール部６の少なくとも一部、図においては略中央部に彎曲状ヒートシール部６１が形成されており、端面側から見て凸状をなすように彎曲している。なお、彎曲状ヒートシール部６１はヒートシール部６の全長にわたって形成されていても良く、１個に限らず複数個であっても良い。彎曲状ヒートシール部６１は、図においては同一巾の形状として表示したが、端面側から見て凸状に彎曲していれば良く、巾の変化した形状であっても良いことは当然である。
【００１４】
彎曲状ヒートシール部６１と底部端縁６２との間には２つのノッチ７，７が形成されていて、前記積層フィルムの中間層の直線カット性の方向と合致するようになされている。２つのノッチ７，７はヒートシール部６内において略コ字状となるように連結されて、ベロ状部７１を形成しており、これを持ち上げて引き裂き力を簡易にかけることができ、包装フィルムを２つのノッチ７，７に沿ってテープ状に簡易にカットされるようになされている。
【００１５】
本発明の袋状包装体１は、以上のように形成されているので、上部近傍又は底部近傍に形成した彎曲ヒートシール部の２つのノッチ７，７を利用して形成したベロ状部７１を引き上げると、引き裂きはノッチ方向に進行して、ノッチの方向と合致する位置に形成した彎曲ヒートシール部の凸状部に達し、先ず凸状部の凸状先端のヒートシール部が表面部２と背面部３の両内層の融着部が剥離されて開封される。本発明では、ヒートシール部の少なくとも１部が彎曲状をなしているため、彎曲状ヒートシール部の全部が開封されるまで、カット線は包装袋内に達しないので、不測あるいはいたずらの引き裂き力が作用しても、包装フィルムのヒートシール部が容易にはカットされず、被包装物が露出して外部の酸素ガスや水分が内部に浸入することはない。
【００１６】
この彎曲ヒートシール部の開封の際に、積層体の内層には開封性フィルムが使用されているので、表面部２と背面部３との融着部が比較的剥離しやすいため、開封は比較的容易となされている。また、引き裂きが彎曲ヒートシール部を越えた状態では、表面部２と背面部３との接合はなされていないので、積層フィルムの中間層の直線カット性が有効に発揮されて直線状の引き裂きが行われ、容易にテープ状の開封がなされる。
【００１７】
このように、底部近傍に形成したヒートシール部の２つのノッチ７，７を利用して形成したベロ状部７１を引き上げることにより、図３に示すように、包装体１の表面部２にテープ状の切れ目を入れることができ、包装体１の内部に装填された被包装物を簡易に取り出すことができるように開封することができる。
【実施例】
【００１８】
実施例１
外層に延伸ポリプロピレンフィルム、中間層に直線カット性のプラスチックフィルム（ユニチカ株式会社製ＹＮＣＢ）、内層に易開封性のプラスチックフィルム（東セロ株式会社製ＣＭＰＳ−１０１Ｃ）を用いた３層の積層フィルムを使用して、図１に示すように、四方シール包装形態で、彎曲状ヒートシール部６１の形状を外側に凸状をなす彎曲状とし、ノッチ７，７を彎曲状ヒートシール部６１に合致する位置にベロ状７１に形成した袋状包装体１を形成した。
【００１９】
得られた包装体１のノッチ７，７に不測の力がかかっても彎曲状ヒートシール部６１の全部が開封されるまでカット線は包装袋内に達せず、不測の引き裂き力が作用しても、包装フィルムは容易に開封することがなく、改ざん性に優れている一方、開封の意向をもってベロ状部７１を引き上げると、彎曲状ヒートシール部６の表面部２と背面部３の内層が易開封性プラスチックフィルムで形成されているため、比較的容易に開封することが可能であり、さらに中間層が直線カット性プラスチックフィルムで形成されているため、直線カット性に優れており簡易にテープ状に開封することができた。
【００２０】
内層の易開封性のプラスチックフィルム（東セロ株式会社製ＣＭＰＳ−１０１Ｃ）は、図６に示すように、包装袋の製造時に負荷するヒートシール温度が変動してもヒートシール強力がほとんど増加しないという特性を有するので、優れた易開封性を示すものである。
【００２１】
中間層は直線カット性プラスチックフィルムで直線カット性の値は、図８に示すように１．５ｍｍであった。このカット性の値は、図７に示すように、包装袋のカット性の方向に沿って端面のノッチａから左手前方向と右手前方向の傾斜方向に１００ｍｍの長さに引き裂いた点ｂとｃとにおける最大ズレ量を測定した結果である。なお、カット試験は左手前、右手前ともに５点ずつ行った。なお、図８に示すように、直線カット性プラスチックフィルムを外層に使用し、延伸ポリプロピレンフィルムを中間層に使用した場合には、直線カット性は２．８ｍｍであって、直線カット性に劣るものであった。
【００２２】
比較例１
図４に示すように、彎曲状ヒートシール部に代えて直線状ヒートシール部を形成した以外は実施例１と同様に袋状包装体を形成した。図５に示すように、包装体のベロ状部７１を引き上げると、得られた包装体のノッチ７，７に不測の力がかかった場合には、どちらか一方が斜めに開封されてしまい、直線カット性及び改ざん防止性が劣っていた。
【００２３】
比較例２
外層に延伸ポリプロピレンフィルム、中間層に直線カット性のプラスチックフィルム（ユニチカ株式会社製ＹＮＣＢ）、内層にポリエチレンフィルム（ＬＤＰＥ）を用いた３層の積層フィルムを使用した以外は実施例１と同様に袋状包装体を形成した。得られた包装体のベロ状部７１を引き上げると、彎曲状ヒートシール部の表面部２と背面部３の接着強力が強すぎて、開封することができなかった。ポリエチレンは図６に示すように包装袋の製造時に負荷するヒートシール温度が高くなると、シーラント部が面面同士のシールになるためヒートシール強力が非常に増大し、開封することができなくなるのである。
【００２４】
比較例３
外層に延伸ポリプロピレンフィルム、中間層に直線カット性のプラスチックフィルム（ユニチカ株式会社製ＹＮＣＢ）、内層に無延伸ポリプロピレンフィルム（ＣＰＰ）を用いた３層の積層フィルムを使用した以外は実施例１と同様に袋状包装体を形成した。
得られた包装体のベロ状部７１を引き上げると、彎曲状ヒートシール部の表面部２と背面部３の接着強力が強すぎて、開封することができなかった。無延伸ポリプロピレンは図６に示すように包装袋の製造時に負荷するヒートシール温度が高くなると、シーラント部が面面同士のシールになるためヒートシール強力が非常に増大し、開封することができなくなるのである。
【図面の簡単な説明】
【００２５】
【図１】本発明の易開封性を有する四方シール袋状包装体の一例を示す平面図（ａ）及び２方向から見た断面図（ｂ）である。
【図２】図１の易開封性を有する四方シール袋状包装体の開封の開始時を示す平面図である。
【図３】図１の易開封性を有する四方シール袋状包装体の使用状態を示す斜面図である。
【図４】比較例の袋状包装体の平面図である。
【図５】比較例で不測の力がかかった場合の開封カット性を示す斜面図である。
【図６】積層フィルムの内層のヒートシール温度とヒートシール強度との関係を示すグラフである。
【図７】引き裂きカット性の試験方法を示す説明図である。
【図８】積層フィルムの直線カット性の比較グラフである。
【図９】易開封性を有するピロー袋状包装の一例を示す平面図（ａ）及びＴＤ方向から見た断面図（ｂ）である。
【符号の説明】
【００２６】
１  袋状包装体
２  前面部
３  背面部
４  上部ヒートシール部
５  両側縁ヒートシール部
６  底部ヒートシール部
６１  彎曲ヒートシール部
６２  底部端縁部
７  ノッチ
７１  ベロ状部
８  合掌シール部
【図１】
0004824078.tif 000002
【図２】
0004824078.tif 000003
【図３】
0004824078.tif 000004
【図４】
0004824078.tif 000005
【図５】
0004824078.tif 000006
【図６】
0004824078.tif 000007
【図７】
0004824078.tif 000008
【図８】
0004824078.tif 000009
【図９】
0004824078.tif 000010